(57)【要約】【課題】腰痛になり、腰部筋肉と腹筋を使用することができない腰痛者でも腹部を持ち上げることなく、容易に自分で体を回転させられることができることを可能とする。【解決手段】前記硬質スポンジからなる腰枕の上面を、縦、横方向ともに凸型のゆるやかなカーブ形状とし、カーブが変形しない硬度の腰枕にすることで、体重をかけたまま腰椎を持ち上げた状態で寝返りをしやすくし、腰痛者でも体を容易に転がしやすくなり、また、寝ている時の腹部臓器の重量が骨にかかる力の負担を大幅に減らすことで常に同じ部分を圧迫することがなく、血流を良くし腰痛回復を短期間で完治できる、腰痛者が寝返りしやすいベルト式腰枕。【選択図】図１
0003148477.tif 000002
【実用新案登録請求の範囲】
【請求項１】
伸縮性の強い帯状のメッシュ生地からなり、左右両端に互いに接着しうる面ファスナーを有する幅広のベルトと、前記ベルトの中央部分を、背中幅の８〜９割の幅までを3枚の布からなる2層の袋状とし、袋上部１層目には、好ましくは、一例としてLサイズを基準に、厚さ２ｍｍ〜４ｍｍからなる綿を１枚または2枚入れ、下部2層目の袋には表面形状が上下左右方向ともに凹型のゆるやかなカーブ形状を成した、ＳＲＩＳ０１０１（ＡＳＫＥＲ  Ｃ）によって測定される硬度６０％±５％の硬質スポンジを入れ、前記綿と前記形状の硬質スポンジとを固定するベルト式腰枕からなり、前記腰枕全体の中央の一番厚い部分が、好ましくは、一例としてLサイズで１０〜１４ｃｍで、上下左右両端ともに薄くなっている前記硬質スポンジを前記ベルトに装着した腰痛者が寝返りしやすいベルト式腰枕。
【請求項２】
前記硬質スポンジの底面に、一例として、好ましくは１ｍｍ〜４ｍｍからなる厚さの前記硬質スポンジを１ｍｍ厚では8枚から10枚、２ｍｍ厚では4枚〜5枚を合わせ剥がせるゴム背着剤で接着し、前記硬質スポンジ上面のカーブ形状からそのまま両端まで合うカーブ形状とした腰痛者が寝返りしやすいベルト式腰枕。
【考案の詳細な説明】
【技術分野】
【０００１】
本考案は、腰痛者が常に上向きの状態でしか寝られないことを解消し、体重を腰枕にかけたまま体を斜め方向に回転させやすくすることで、体重から受ける腰痛部分の圧迫される部位を変え、体本来の持っている自然治癒力を最大限に発揮させることで腰痛を早期に改善することができるようにするものである。
【背景技術】
【０００２】
従来の腰パッドまたは腰枕では体にぴったり合った形状の腰椎を固定する部材で体を動かさないようにして寝ることを目的としており、上向きのまま寝て直すという方法が一般的であった。
【０００３】
しかし、常に上向きの状態で寝るということは、痛んでいる腰椎に腹部臓器の重量がかかった状態で寝ることになり、痛めた腰椎だけでなく筋肉をも圧迫し、血流も圧迫された状態で寝ていることになり、腰痛完治を著しく遅らせていた。それを改善するためには、体を左右斜めに回転させ、腹部臓器の重量が骨や筋肉にかかってくる力の方向を変化させ、その骨や筋肉が受け止めている力の負担を大きく軽減させることが必要である。
【０００４】
腰痛を早期に解消する目的において、上向きにしか寝られないということは腰痛治療の大きな障害である。具体的には、骨折、骨の軟骨の突出による神経への圧迫、極端な腰椎の変形など、腰椎を固定して直さなければならない治療方法を除き、激しい腰の屈伸や長時間にわたる椅子に座っての仕事あるいは草取りなどにより引き起こされる一般の腰痛治療にまで同じように適用しているということであり、一般の腰痛の回復を著しく遅らせた治療法であるといえる。
【０００５】
つまり、本当に腰痛を早く完治させ痛みをなくすためには、腰枕左右方向が、体にあった凹型の形状ではなく、縦横ともに凸型のカーブ形状を持ち、腰椎の第4、第5関節部分を持ち上げた状態のまま、体重を預けた状態で体を左右に転がせ、回転させることができるものである必要があった。
【０００６】
しかしながら、腰痛になった人は腰椎の痛みだけではなく、腹筋も同時に痛めており、自分の力で腹部を持ち上げて体を横に回転させることすらできなかった。
【０００７】
従来の腰痛治療具では反発弾性率が２０％以下の有クッション性の部材を使用するため、柔らかすぎて体重をかけると変形しやすく、体を回転させようとすると痛みを感じるものであった。また、逆に腰椎部分をしっかりと固定する部材では、自分の力で体を回転させることができなかった。
【０００８】
また（特表2002-537947）では、製造工程が複雑であり、コストが高くつくという欠点もあり、剛性構造を提供する湿気硬化性樹脂ではそれぞれの人に合った形に成型できても、固くなった硬化性樹脂では、骨のわずかな動きまでをも固定し、余裕がない硬さである為、腰椎が治りかけた時には少しでも動くと脇腹に成型した部分が当たり、痛みを感じるものであるという欠点もある。
【特許文献１】特開２００３−７９７４７（Ｐ２００３−７９７４７Ａ）
【特許文献２】実登２００５−１１３５４
【非特許文献１】特表２００２−５３７９４７
【０００９】
この改善策として、ＳＲＩＳ０１０１（ＡＳＫＥＲ  Ｃ）によって測定される硬度６０％±５％の硬質スポンジで、体重を預けたまま体を回転させても変形しない腰枕が求められており、骨への力の負担を大きく軽減させた状態で寝られるようにすることが求められている。
【考案の開示】
【考案が解決しようとする課題】
【００１０】
解決しようとする問題点は、体重を預けたまま体を回転させやすくした形状にあり、常に一定の部分を圧迫した状態で寝るのではなく、腰痛者でも容易に圧迫される部位を変えて寝られるようにすることで、血流を変え、自然治癒力を高めることである。
【課題を解決するための手段】
【００１１】
本考案は、前記硬質スポンジの腰枕で、体重をかけても変形しない厚さと硬度であり、両端の厚みを薄くすることで両端のみ変形しやすくし、幅広のベルトに装着することで体を回転させても腰椎のカーブを維持したまま体を回転させることができることを主要な特徴とする。また、腰痛改善の状態に合わせて前記硬質スポンジの厚みを下部に接着した薄い前記硬質スポンジを1枚ずつ剥がして腰痛改善とともに少しずつ腰枕の高さを変えられるようにした（図面6）。
【００１２】
また、腰枕の部材としては、前記硬質スポンジ以外に、軟質ゴム（ＪＩＳ  Ｋ６２５３によって測定される硬度６０〜７０）の部材や、合成樹脂なども考えられるし、腰椎ベルトは現在市販中の遠赤外線腰パッドの背面部を袋状にしたものを使用することもできる。
【考案の効果】
【００１３】
本考案の腰枕は、腰痛者が痛めている腹筋を使わなくても体を斜めに回転させて寝ることができるので、骨にかかる力の負担を大きく軽減させるとともに、体を動かして寝ることにより血流を変化させ、自然治癒力が大きく発揮され、腰痛回復の期間が大幅に改善されるという利点がある。
【考案を実施するための最良の形態】
【００１４】
腰枕に、縦方向の腰椎のカーブだけでなく、体を斜めに回転させたときの腰椎のカーブ形状を腰枕の左右斜め方向にも持たせた凹型の立体カーブ形状とし、ベルトで固定することで実現した。
【００１５】
また、体型は人によって様々であるが、座高の高さはそれほど大きな差ではなく、身長による個人差の違いは腰枕の縦サイズでそれほど大きな差ではない。そのため腰椎のカーブのサイズは、S・M.・L・LL寸とそれぞれ異なるサイズの腰枕の大きさ・幅とした各サイズの腰枕にすれば、ほとんどの人の体型に合わせることができる。
【実施例１】
【００１６】
図１は、本考案の実施例の斜面図であって、１〜１０は、図２と図７と同様である。
【００１７】
図３は前記硬質スポンジの断面図である。
１は前記硬質スポンジの上面のカーブ形状であり、１１は前記硬質スポンジの底面に、剥がせるゴム背着剤で接着し厚みを調節できるようにした前記硬質スポンジである。
【００１８】
図４は硬質スポンジの斜面写真であり、１２は腹部左右方向のカーブ形状、１３は腰椎縦方向のカーブ形状であり１４は前記硬質スポンジの上面１枚の厚さを現した断面写真である。
【００１９】
図５は図１のベルト中心部に設けられた袋形状の１層目に入れ、２層目の袋形状９に入れる前記硬質スポンジの硬度が背中に当たる痛みを軽減させる綿であり、吸湿綿を使用することにより、肌から発汗される汗を吸い取る役目を果たすと同時に、入れる枚数を調節することで、異なる体重の違いから受ける前記硬質スポンジの硬度による痛みを調節できる。
【００２０】
図６は前記硬質スポンジの斜面写真である。
【００２１】
図７は前記硬質スポンジと前記綿とをベルトの１層目と２層目からなる袋内部に入れた状態の斜面断面図である。
【００２２】
図８は腹部断面図および、腰椎と腰枕との位置関係を示した図であり、体を回転させることで腹部臓器の重量が痛めた腰椎にかかる力の方向を示したものであり、体を回転させることによりいかに骨にかかる力の負担を大幅に軽減できるかということを示した図である。
【産業上の利用可能性】
【００２３】
自由な姿勢で寝ても痛みを感じないで寝られる腰枕であり、家庭で腰痛を治すことができ、構造も単純な形であり、材質も非常に安価に作成することができる。
【図面の簡単な説明】
【００２４】
【図１】腰枕全体の斜面図であって、は全体の構成部材である。（実施例１）
【図２】ベルト全体の平面図（表面図と裏面図）（実施例２）
【図３】縦方向と横方向のカーブを立体的に形成した該軟質スポンジの断面図
【図４】該硬質スポンジの斜面図と断面図の写真
【図５】綿の斜面図
【図６】硬質スポンジの斜面写真
【図７】硬質スポンジと綿をベルトに装着した断面図
【図８】ベルト式腰枕を装着して体を回転させるときの腹部断面図で腹部の重量が腰椎にかかる重量の力の方向の変化を現す。
【符号の説明】
【００２５】
１．腰椎の痛めた部分を、ゆるやかなカーブ形状で分散させる上面の硬質スポンジ
２．綿（吸湿綿） 
３．ベルトの縦幅を固定するプラスチックまたは合成樹脂からなる弾性ボーン
４．メッシュ生地 
５．面ファスナー
６．面ファスナー
７．１層目に入れる綿を覆う布 
８．１層目と２層目を分ける布
９．２層目に入れる硬質スポンジを覆う布
１０．綿の厚み（２ｍｍ〜４ｍｍ）
１１．上面の硬質スポンジに剥がせる接着剤で接着させる硬質スポンジ全体の厚み（１２ｍｍ〜１５ｍｍ）
１２．上面にある硬質スポンジのカーブ形状を伴った下に貼り合わせる硬質スポンジの１枚の厚さ（２ｍｍ〜４ｍｍ）
a．ゆるやかなカーブ形状を持たせた上面の硬質スポンジの幅 
b．上面の硬質スポンジのカーブ形状
c．腹部の臓器の重量が脊椎から離れていく力の方向の変化
１３．腰椎方向のカーブ形状
１４．腹部左右方向のカーブ形状 
図面８の８−１〜８−４．体を横に回転させたときの腹部断面の状態と腰椎の位置およびベルト式腰枕の位置
【図１】
0003148477.tif 000003
【図２】
0003148477.tif 000004
【図３】
0003148477.tif 000005
【図４】
0003148477.tif 000006
【図５】
0003148477.tif 000007
【図６】
0003148477.tif 000008
【図７】
0003148477.tif 000009
【図８】
0003148477.tif 000010
【手続補正書】
【提出日】平成20年11月19日(2008.11.19)
【手続補正１】
【補正対象書類名】実用新案登録請求の範囲
【補正対象項目名】請求項２
【補正方法】変更
【補正の内容】
【請求項２】
前記硬質スポンジの底面に、一例として、好ましくは１ｍｍ〜４ｍｍからなる厚さの前記
硬質スポンジを１ｍｍ厚では8枚から10枚、２ｍｍ厚では4枚〜5枚を合わせ、剥がせるゴム背着剤で接着し、前記硬質スポンジ上面のカーブ形状からそのまま両端まで合うカーブ形状であることを特徴とする請求項１に記載のベルト式腰枕。